(57)【要約】【課題】簡単な構成で耳介を前方へ向って立てることができる耳立て具を提供する。【解決手段】耳立て具１０は、耳介の裏面に貼る耳介取付部２０と、耳介取付部２０と一体に連結されていて、頬Ｈａの表面に貼る頬貼付部３０とを備える。頬Ｈａに頬貼付部３０を貼着する際に、耳介Ｇを前方へ引張ることにより、耳介取付部２０を介して耳介Ｇを立てる。【選択図】図３
2018064658.tif 000002
【特許請求の範囲】
【請求項１】
耳介の裏面に貼る耳介取付部と、該耳介取付部と一体に連結されていて、頬の表面に貼る頬貼付部とを備える耳立て具。
【請求項２】
前記頬貼付部は直線状に延出され、前記耳介取付部は、前記頬貼付部が延出する方向に対して交差する方向に延出されている請求項１に記載の耳立て具。
【請求項３】
前記耳介取付部と前記頬貼付部とを連結する連結部を有し、前記頬貼付部の幅は前記連結部の幅よりも広く形成されている請求項１または請求項２に記載の耳立て具。
【請求項４】
耳介を挟着するクリップと、該クリップと一体に連結されていて、頬の表面に貼る頬貼付部とを備える耳立て具。
【請求項５】
前記クリップは、耳介の裏面に貼る裏面貼着部と、前記耳介の表面に貼る表面貼着部とを有し、前記裏面貼着部と前記表面貼着部とは二股状に形成されている請求項４に記載の耳立て具。
【発明の詳細な説明】
【技術分野】
【０００１】
本発明は、耳立て具に関する。
【背景技術】
【０００２】
耳介（耳）は、体外の音波を集める集音器としての機能を持つ。耳介は、耳介軟骨（弾性軟骨）に耳介筋と呼ばれる横紋筋が取り付き、その全体を皮膚が覆っている。
【０００３】
ヒト以外のほ乳動物では、耳介筋によって、耳介を動かすことができ、集音する方向を変えることができる。しかし、ヒトの場合はこの耳介筋が退化しているため、耳介を動かすことが難しい。
このため、ヒトが自分の耳で音を集音したい場合、ヒトの耳介の集音器の機能を高めることができれば好ましいものとなる。
【０００４】
特許文献１の耳立て補助具付眼鏡では、耳立て、すなわち、耳介を前方へ向って立てるために、眼鏡本体に設けられた蔓に耳立てのための屈曲テンプルを設けて、該屈曲テンプルにより耳立てができるようにしている。
【先行技術文献】
【特許文献】
【０００５】
【特許文献１】特開２００１−２２１９８３号公報
【発明の概要】
【発明が解決しようとする課題】
【０００６】
ところが、特許文献１では、眼鏡に屈曲テンプルを設ける構成であるため、部品点数が多くなり、コスト高となる。
本発明の目的は、上記課題を解決して、簡単な構成で耳介を前方へ向って立てることができる耳立て具を提供することにある。
【課題を解決するための手段】
【０００７】
上記問題点を解決するために、本発明の耳立て具は、耳介の裏面に貼る耳介取付部と、該耳介取付部と一体に連結されていて、頬の表面に貼る頬貼付部とを備えるものである。
また、前記頬貼付部は直線状に延出され、前記耳介取付部は、前記頬貼付部が延出する方向に対して交差する方向に延出されていてもよい。
また、前記耳介取付部と前記頬貼付部とを連結する連結部を有し、前記頬貼付部の幅は前記連結部の幅よりも広く形成されていてもよい。
また、耳立て具は、耳介を挟着するクリップと、該クリップと一体に連結されていて、頬の表面に貼る頬貼付部とを備えるものである。
【０００８】
また、前記クリップは、耳介の裏面に貼る裏面貼着部と、前記耳介の表面に貼る表面貼着部とを有し、前記裏面貼着部と前記表面貼着部とは二股状に形成されていてもよい。
【発明の効果】
【０００９】
本発明によれば、簡単な構成で耳介を前方へ向って立てることができる効果を奏する。
【図面の簡単な説明】
【００１０】
【図１】第１実施形態の耳立て具の平面図。
【図２】第１実施形態の耳立て具の部分断面図。
【図３】耳立て具の使用状態の説明図。
【図４】第２実施形態の耳立て具の斜視図。
【図５】第２実施形態の耳立て具の使用状態の説明図。
【図６】他の実施形態の平面図。
【図７】（ａ）〜（ｄ）は他の実施形態の耳立て具の平面図。
【発明を実施するための形態】
【００１１】
（第１実施形態）
図１〜図３を参照して、本発明を具体化した第１実施形態の耳立て具を説明する。
図１に示すように、耳立て具１０は、耳介取付部２０と、耳介取付部２０に対して連結部３５を介して一体に連結された頬貼付部３０とを有する。
【００１２】
図２に示すように耳立て具１０は、全体が粘着テープ１２にて構成されている。粘着テープ１２は、テープ状の基材１４と、該基材１４の一側面側に設けられた粘着層１６を有する。基材１４は、紙、布、不織布或いは合成樹脂フィルム等にて形成されており、可撓性を有している。粘着層１６を形成する粘着剤は、天然ゴム、ＳＢＲ（スチレン・ブタジエンゴム）、ブチルゴム等のゴム系、アクリル系、ホットメルト系、シリコーン系、ウレタン系のいずれでもよいが、ヒトの皮膚に刺激を与えないものが好ましい。
【００１３】
本実施形態では、頬貼付部３０及び連結部３５は互いに同一幅を有するようにして細長で直線状に延出され、連結部３５の一端（すなわち、連結端）側に耳介取付部２０が略Ｔ字状となるように一体に連結されている。すなわち、耳介取付部２０は、頬貼付部３０に対して交差する方向を延出方向にして延びるとともに、略同一幅を有するようにして頬貼付部３０側が凸となるように円弧状に形成されている。図２に示すように、耳立て具１０は、使用する以前には粘着層１６は剥離紙１８にて覆われている。剥離紙１８の外形形状は、耳立て具１０と同一の外形形状でもよく、或いは、耳立て具１０の粘着層１６をカバーする大きさ以上の任意の形状であってもよい。
（実施形態の作用）
図３を参照して、耳立て具１０の使用方法を説明する。
【００１４】
図２に示す剥離紙１８を耳立て具１０から剥がした後、耳介取付部２０の延出方向を上下方向に配置した状態で人Ｈの耳介Ｇの裏面に対して貼付けする。また、頬貼付部３０を人Ｈの頬Ｈａに貼着する。この頬Ｈａに頬貼付部３０を貼着する際に、図３に示すように耳介Ｇを前方へ引張ることにより、耳介取付部２０を介して耳介Ｇを立てる。この結果、耳介Ｇを前方（すなわち、人Ｈの顔が向く方向）に向かって立てることにより、人Ｈの顔が向いた方向にある音源が発する音を、立てた耳介Ｇにより集音して聞くことができる。
【００１５】
表１は、この耳立て具１０を使用した男性２０人及び女性２８人の計４８人によるアンケート結果である。アンケート項目は、「よく聞こえる。」、「聞く言葉が明瞭なる。」、「頭の回転が良くなった気がする。」、「元気が出るような気がする。」、「集中力が高まった。」、「話しことばが早くなった。」、「能弁になったように感じる。」、「気分が明るくなった。」、「忘れっぽいの緩和された。」、「たいした効果は認められなかった。」、「その他」である。４８人中の２１人（すなわち、４４％の人）が項目番号１の「よく聞こえる。」に回答され、また、４８人中の１１人（すなわち、２３％の人）が、項目番号２の「聞くことばが明瞭になる。」に回答されている。これらの回答は、耳立て具１０の集音効果を認めているものとなっている。
【００１６】
４８人中の１４人（すなわち、２９％の人）が項目番号４の「元気が出るような気がする」に回答され、また、４８人中の１２人（すなわち、２５％の人）が項目番号５の「集中力が高まった。」に回答されている。これらの回答は、集音効果が高まったことにより、集音された音に起因して脳が活性化していることが認められる。
本実施形態では、下記の特徴を有する。
【００１７】
【表１】
2018064658.tif 000003
（１）本実施形態の耳立て具１０は、耳介の裏面に貼る耳介取付部２０と、耳介取付部２０と一体に連結されていて、頬Ｈａの表面に貼る頬貼付部３０とを備える。この結果、簡単な構成で耳介を前方へ向って立てることができる。この結果、耳介の集音を高めることができる。
【００１８】
（２）本実施形態の耳立て具１０は、頬貼付部３０は直線状に延出され、耳介取付部２０は、頬貼付部３０が延出する方向に対して交差する方向に延出されている。この結果、耳介取付部２０が頬貼付部３０が延出する方向とは交差する方向へ延出されているため、耳介取付部２０は耳介Ｇの裏面に対して上下方向に延びる。このため、耳介取付部２０は、耳介Ｇの裏面に対して上下方向に亘って貼付けすることができ、耳介Ｇを上下方向に亘って貼付けしない場合に比して、耳介Ｇを広い範囲で立てることが可能となる。
（第２実施形態）
図４、図５を参照して第２実施形態を説明する。
【００１９】
図４に示すように、本実施形態の耳立て具１０Ａは、耳介取付部２０の代わりにクリップ４０が頬貼付部３０の連結端に一体に設けられているところが第１実施形態と異なっている。クリップ４０は、頬貼付部３０の連結端の一側面に対して重ね合わされて一体に連結されたクリップ片４０ａと、屈曲された連結部４０ｃを介して連結されたクリップ片４０ｂとにより構成されている。クリップ片４０ａとクリップ片４０ｂとは、連結部４０ｃにより二股状に連結して形成されている。クリップ片４０ａ、４０ｂの自由端は、耳介取付部２０とは反対側に向けて延出されている。
【００２０】
本実施形態の耳介取付部２０は、可撓性を有するテープ状の基材と該基材の一側面側に設けられた粘着層とを有した粘着テープにて構成されている。前記粘着層は、前記基材に対してクリップ片４０ａが設けられた側面に設けられている。同様にクリップ片４０ａ、４０ｂは、可撓性を有するテープ状の基材と該基材の一側面側に設けられた粘着層とを有した粘着テープにて一体に構成されており、互いに対向する側面側に前記粘着層が配置されている。なお、耳立て具１０Ａは、不使用時には、頬貼付部３０の粘着層表面が図示しない剥離紙にて覆われているとともに、クリップ片４０ａ、４０ｂ間には剥離紙が挟まれて貼着されている。クリップ片４０ａ及びクリップ片４０ｂは、それぞれ裏面貼着部及び表面貼着部に相当する。
（実施形態の作用）
図５を参照して耳立て具１０Ａの使用方法を説明する。
【００２１】
頬貼付部３０及びクリップ４０の図示しない剥離紙を耳立て具１０Ａから剥がした後、クリップ４０のクリップ片４０ａを耳介Ｇの裏面に、クリップ片４０ｂを耳介Ｇの表面に貼付けして挟着する。また、頬貼付部３０を人Ｈの頬Ｈａに貼着する。この頬Ｈａに頬貼付部３０を貼着する際に、図５に示すように耳介Ｇを前方（すなわち、人Ｈの顔が向く方向）へ引張ることにより、耳介Ｇを立てる。このようにして耳立て具１０のクリップ４０を耳介Ｇに挟着し、頬貼付部３０を頬Ｈａに貼付けすることにより、耳介Ｇを立てることができる。このようにして、耳介Ｇを前方（すなわち、人Ｈの顔が向く方向）に向かって立てることにより、人Ｈの顔が向いた方向にある音源が発する音を集音して聞くことができる。
本実施形態では、下記の特徴を有する。
【００２２】
(１)本実施形態の耳立て具１０Ａは、耳介Ｇを挟着するクリップ４０と、クリップ４０と一体に連結されていて、頬Ｈａの表面に貼る頬貼付部３０とを備える。このため、本実施形態によれば、簡単な構成で耳介を前方へ向って立てることができる。この結果、耳介の集音を高めることができる。
【００２３】
(２)本実施形態の耳立て具１０Ａのクリップ４０は、耳介Ｇの裏面に貼るクリップ片４０ａ(裏面貼着部)と、耳介Ｇの表面に貼るクリップ片４０ｂ(表面貼着部)とを有し、クリップ片４０ａ、４０ｂは二股状に形成されている。この結果、本実施形態では、両クリップ片４０ａ、４０ｂにて耳介Ｇを挟着することにより、簡単な構成で耳介Ｇを立てることができる。
なお、本発明の実施形態は前記実施形態に限定されるものではなく、下記のように変更してもよい。
【００２４】
・第１実施形態では、連結部３５は、頬貼付部３０と同一幅としていたが、同一幅に限定するものではない。図６に示すように、連結部３５を、耳介取付部２０の各端(図６で示す上下両端)と頬貼付部３０の連結端を連結する一対の連結片３５ａ、３５ｂにて構成してもよい。この場合、連結片３５ａ、３５ｂ、及び耳介取付部２０により囲まれた孔３５ｃは、略三角形状に形成されている。
【００２５】
図６に示すように、この耳立て具１０を使用する場合、孔３５ｃ内に耳介Ｇを挿入して、耳介取付部２０を耳介Ｇの裏面に貼付けし、この状態で頬貼付部３０を頬Ｈａに貼着することにより耳介Ｇを立てればよい。
【００２６】
・図６で説明した耳立て具１０の構成中、孔３５ｃを省略した連結部３５にしてもよい（図７（ａ）参照）。この場合、連結部３５は、頬貼付部３０から耳介取付部２０に向かうほど末広がり状に形成されたものとなる。
【００２７】
・図７（ｂ）に示すように、第１実施形態の耳立て具１０の構成中、頬貼付部３０の幅を連結部３５よりも幅広に形成してもよい。このように、頬貼付部３０の幅を連結部３５よりも幅広に形成することにより、幅広にしない場合に比して、頬貼付部３０の頬Ｈａに対する貼付け力を増加することができ、安定して耳介の立てた状態を保持することもできる。
【００２８】
・図７（ｃ）に示すように、頬貼付部３０の端部の幅を最大幅として耳介取付部２０に向かうほど幅が狭くなるように、かつ、連結部３５も頬貼付部３０から連続して耳介取付部２０に向かうほど幅が狭くなるように形成してもよい。また、本実施形態では、耳介取付部２０は、略同一幅を有するようにして第１実施形態とは反対側となる反頬貼付部３０側が凸となるように円弧状に形成されている。
【００２９】
・図７（ｄ）に示すように、頬貼付部３０が連結部３５の幅よりも広くなるように、かつ頬貼付部３０の端部縁が最大幅を有するように台形状に形成し、耳介取付部２０を、反頬貼付部３０が膨らむようにかまぼこ状に形成してもよい。
・上述した各実施形態の連結部３５、頬貼付部３０、耳介取付部２０を上記の組合せ以外の他の組合せとしてもよい。
・第２実施形態のクリップ４０を、弾性を有した部位で相互に連結した一対のクリップ片に変更し、前記弾性を利用して該一対のクリップ片にて耳介を挟むようにしてもよい。
【符号の説明】
【００３０】
１０、１０Ａ…耳立て具、１２…粘着テープ、１４…基材、
１６…粘着層、１８…剥離紙、２０…耳介取付部、３０…頬貼付部、
３５…連結部、４０…クリップ、４０ａ…クリップ片(裏面貼着部)、
４０ｂ…クリップ片(表面貼着部)、４０ｃ…連結部、
Ｈ…人、Ｈａ…頬、Ｇ…耳介。
【図１】
2018064658.tif 000004
【図２】
2018064658.tif 000005
【図３】
2018064658.tif 000006
【図４】
2018064658.tif 000007
【図５】
2018064658.tif 000008
【図６】
2018064658.tif 000009
【図７】
2018064658.tif 000010